(57)【特許請求の範囲】
【請求項１】
錠箱に、内側の操作部材により回動する内側の駆動カムと、この内側駆動カムと係合するように軸支され、かつストライクに係合した施錠片を引き戻す連動部材と、前記駆動カムと係脱するように案内部に設けられた操作部材用ロック手段と、このロック手段のロック状態をロック解除の状態に切換えることができるように軸支された内側の係合アームと、この係合アームと係合するように軸支され、かつ内側の操作部材を回転可能状態又はロック状態にする操作部材態様用切換え手段と、前記内側の係合アームを回転させることができるように軸支された駆動片を駆動源の作動杆に有し、かつ、駆動源の配設位置を移動させることによって電気錠の作動モードを非通電時施錠か、それとも通電時施錠かに切換える作動モード切換え手段とを備える電気錠の切換え装置。
【請求項２】
請求項１に於いて、内側の操作部材態様用の切換え手段の切換えは、錠箱のフロント板を取り外して切換えることができるにように、レバー状の切換え手段の自由端部がフロント板を指向するように軸支されていることを特徴とする電気錠の切換え装置。
【請求項３】
錠箱に、内外の操作部材によりそれぞれ回動する内外の駆動カムと、これらの駆動カムと係合するように軸支され、かつストライクに係合した施錠片を引き戻す連動部材と、前記駆動カムとそれぞれ係脱するように案内部に設けられた操作部材用ロック手段と、これらのロック手段のロック状態をそれぞれロック解除の状態に切換えることができるように軸支された内外の係合アームと、これらの係合アームとそれぞれ係合するように軸支され、かつ内外の操作部材を回転可能状態又はロック状態にする操作部材態様用切換え手段と、前記内外の係合アームを回転させることができるように軸支された駆動片を駆動源の作動杆に有し、かつ、駆動源の配設位置を移動させることによって電気錠の作動モードを非通電時施錠か、それとも通電時施錠かに切換える作動モード切換え手段とを備える電気錠の切換え装置。
【請求項４】
請求項３に於いて、駆動源は、一つのソレノイドであり、作動モード切換え手段を回転させることにより移動することを特徴とする電気錠の切換え装置。
【請求項５】
請求項３に於いて、内外の操作部材態様用の切換え手段と、作動モード切換え手段は、一つの軸に枢支されていることを特徴とする電気錠の切換え装置。
【請求項６】
請求項３に於いて、作動モード切換え手段は、フロント板を取り外して切換えることができるにように、レバー状に形成されていることを特徴とする電気錠の切換え装置。
【請求項７】
請求項３に於いて、作動モード切換え手段は、錠箱の裏板に水平状態に設けられた回動螺杆であり、この回動螺杆は、駆動源を水平移動させることができるように駆動源の側壁に螺合していることを特徴とする電気錠の切換え装置。
【発明の詳細な説明】
【０００１】
【発明の属する技術分野】
本発明は電気錠の切換え装置に関する。特に本発明は、電気錠の作動モード（非通電時施錠型か、それとも通電時施錠型かに切換えること）と電気錠の内外の操作部材態様（例えばレバーハンドルの回動操作を自由にするか、それとも不自由にすること）を切換えることができることを特徴とする電気錠の切換え装置に関する。
【０００２】
【従来の技術】
従来、電気錠は建物の扉に取り付けられているが、住居用、商業用、福祉施設用など建物の用途如何によって、非通電時施錠型か、それとも通電時施錠型か、何れかの錠前を選択して取り付けている。また電気錠は、非通電時施錠型であれ或いは通電時施錠型であれ、例えばホテルの各部屋の扉に取り付ける場合には、アンチパニック機能（サムターンを操作しなくても内側操作部材の操作のみで扉を開けることができること。）を有することが望ましいので、室内からサムターンを操作しなくても、レバーハンドルの回動操作のみで扉を開くことができる電気錠を取り付けることが多い。一方、養老ホーム、公共的施設などの建物の扉に取り付ける場合には、防災時を考慮し、部屋の外からシリンダーのキー操作をしなくても外側操作部材の操作のみで扉を開けることができることが望ましい。そこで、そのようなタイプの電気錠が取り付けられている。このように電気錠は、現在、様々な型式のものが存在し、建物の用途別に選択されている。
【０００３】
ところで、ある建物の扉に非通電時施錠型を装着した場合に於いて、当該電気錠を通電時施錠型に作動モードを換えたい時がある。また、建物の用途変更に対応して当該電気錠の内外操作部材の態様も変えたいという場合もある。このような場合、従来の電気錠では、扉に一旦取り付けた電気錠を所望する型式の電気錠と交換せざるを得ないという問題点があった。そこで、一つの電気錠で作動モードと、内外の操作部材の態様（ここでは「操作部材を回転可能状態又はロック状態にすること。」）を自由に切換えることが可能な電気錠の切換え装置が要望されている。
【０００４】
【発明が解決しようとする課題】
本発明は、以上のような従来の実施例が有する問題点に鑑み、第１の目的は、一つの電気錠で作動モードと内外の操作部材の態様を自由に切換えることが可能な電気錠の切換え装置を提供することである。第２の目的は、錠箱からフロント板を取り外すだけで、電気錠の作動モード及び／又は内外の操作部材の態様を簡単に切換えることができることである。第３の目的は、各作動部材を合理的に組み合わせ、切換えを適格になさんとすることである。
【０００５】
【課題を解決するための手段】
本発明の電気錠の切換え装置は、錠箱に、内側の操作部材により回動する内側の駆動カムと、この内側駆動カムと係合するように軸支され、かつストライクに係合した施錠片を引き戻す連動部材と、前記駆動カムと係脱するように案内部に設けられた操作部材用ロック手段と、このロック手段のロック状態をロック解除の状態に切換えることができるように軸支された内側の係合アームと、この係合アームと係合するように軸支され、かつ内側の操作部材を回転可能状態又はロック状態にする操作部材態様用切換え手段と、前記内側の係合アームを回転させることができるように軸支された駆動片を駆動源の作動杆に有し、かつ、駆動源の配設位置を移動させることによって電気錠の作動モードを非通電時施錠か、それとも通電時施錠かに切換える作動モード切換え手段とを備えることを特徴とする。
【０００６】
また本発明の電気錠の切換え装置は、錠箱に、内外の操作部材によりそれぞれ回動する内外の駆動カムと、これらの駆動カムと係合するように軸支され、かつストライクに係合した施錠片を引き戻す連動部材と、前記駆動カムとそれぞれ係脱するように案内部に設けられた操作部材用ロック手段と、これらのロック手段のロック状態をそれぞれロック解除の状態に切換えることができるように軸支された内外の係合アームと、これらの係合アームとそれぞれ係合するように軸支され、かつ内外の操作部材を回転可能状態又はロック状態にする操作部材態様用切換え手段と、前記内外の係合アームを回転させることができるように軸支された駆動片を駆動源の作動杆に有し、かつ、駆動源の配設位置を移動させることによって電気錠の作動モードを非通電時施錠か、それとも通電時施錠かに切換える作動モード切換え手段とを備えることを特徴とする。
【０００７】
【発明の実施の形態】
図１乃至図１５に基づいて第１実施例を説明する。図１は電気錠１の外観を示す。図２は扉２の自由側端部に形成された錠箱用空洞に電気錠１を収納した場合に於いて、フロント板の一部を切欠、かつフロント板側から見た説明図である。まず図１及び図２を参照に本発明の環境部材を説明する。電気錠１の錠箱３は、普通一般に一側開口のケース身３ａとケース蓋とか３ｂら成り、ケース身３ａには後述する各部材が組み込まれる。４はフロント板、５はデッドボルト、ラッチボルトなどの施錠片、６は外側の操作部材（ノブ，レバーハンドル）、７は内側の操作部材（ノブ，レバーハンドル）、８はキー操作によって施・解錠するシリンダー、９はサムターンである。
次に図３乃至図８を参照に本発明の主要部について説明する。まず、本発明の錠前は、電気錠１であることが前提である。普通一般に「電気錠」とは、電気的に施錠片を施・解錠操作する錠前のことをいう。
【０００８】
したがって、本発明の電気錠１も、特に図示しないが、離れた場所から制御回路により電気的に錠箱３に内装された駆動源（例えばマイクロモータ）を起動し、該駆動源の駆動力によって錠箱３内の各部材（歯車、ロック片など）を作動させて施錠片５用のロック片１０のロック状態を解消させることができる。なお、サムターンやシリンダーを操作した後に内外の操作部材をそれぞれ回すこともできる。
【０００９】
以下、本発明の電気錠の切換え装置Ｘの特定事項を中心に説明し、付随的な構成要件については図示や説明を割愛する。また、錠箱３、施錠片５、連動部材３０なども設計上の形状や寸法に基づくものではなく、技術的思想を説明するために簡略化してある。
【００１０】
まず、錠箱３は、フロント板４の裏面に固定的に接合する裏板１１、固着具などを介して扉２に固定される。この錠箱３内には、電気錠の切換え装置Ｘを構成する各部材が内装される。裏板１１の下部には、後述する複数個のレバー状切換え手段の自由端部が臨む開口１１ａが形成されている。
【００１１】
次に施錠片の一例としてのデッドボルト５はフロント板４を基準に出没自在に進退動する。デッドボルト５は、公知のように戸枠１２側のストライク１３と係脱する。デッドボルト５は水平状態で進退動する時、錠箱３に形成された水平切欠部、水平溝などの水平案内部に案内される。デッドボルト５はフロント板４の窓１４から出没する先端部側５ａと、この先端部側５ａに連設する後端部側５ｂに区別される。そして、後端部５ｂに錠箱３に軸支（軸１５）された前記ロック片１０が係脱する。デッドボルト５は、錠箱３に内装された図示しないデッドバネのバネ力に抗して後退する。
【００１２】
次に電気錠の切換え装置Ｘを構成する主な部材について説明する。なお、本発明の実施例に於いて、錠箱３内に対称的に配設される内外の部材に関しては、同一名称の部材が出てくる。そこで部品図については、その形状の如何を問わず、説明の便宜上、一方の部材の部品のみ示し、他方の部材の図示や説明を割愛する（機能上同一の部分には、同一の符号を付す）。
【００１３】
２０は内側の操作部材７の回転操作により回る内側駆動カムである。これに対して２１は外側の操作部材６の操作により回る外側駆動カムである。したがって、切換え装置Ｘは、内外の操作部材によりそれぞれ回動する内外の駆動カム２０，２１を備えている。図４は内側駆動カム２０の一例を示す正面図である。図３で示す符号２３を、ここでは内側操作部材７用の操作軸とする。そこで、２４は操作軸用の軸孔、２５は段差状の操作軸２３が嵌合する環状の連結筒、２６は連結筒から半径方向に突出する幅広（親指の関節形状）の第１カム部である。２７は係合切欠２８を形成するように連結筒から突出する幅狭（指関節形状）の第２カム部で、この第２カム部２７は、第１カム部２６の一辺と対向する。２９は右の人差し指を上方に向けるように連結筒から突出する押圧部で、この押圧部２９は長板形状の連動部材（リトラクター）３０の中央部の側辺と摺接する。
【００１４】
なお、外側駆動カム２１は、図３を基準にすると、内側駆動カム２１の背面側に係合切欠２８を「１０時の方向」に向けた状態で、かつ、操作軸２３と同軸上に配設されている。そして、内側操作部材７を回すと手前側の内側駆動カム２０が独立に回転し、一方、外側操作部材６を回すと奥側の外側駆動カム２１が独立に回転するように軸に支承されている。
【００１５】
前記連動部材３０は、内外の駆動カム２０，２１と係合するように錠箱３に軸支されて、かつ駆動カムに押されて戸枠側のストライク１３に係合している施錠片５を引き戻す。しかして、連動部材３０の下端部は錠箱３に横設軸架された横軸３１に軸支され、一方、その上端部３０ａはデッドボルト５の後端部５ｂに直接又は連結杆１６を介して間接的に連結されている。
【００１６】
３５，３６は内外の駆動カム２０，２１とそれぞれ係脱するように錠箱３に摺動自在に設けられた内外操作部材（駆動カム）用のロック手段である。ここでは符号３５を内側操作部材用のロック手段、一方、符号３６を外側操作部材用のロック手段とする。これら上下の対称的なロック手段３５，３６は、略矩形状に形成され、かつ図３で示すように錠箱３に斜め方向に形成された上下一対の案内部（開口、溝など）３７，３７にそれぞれスライド自在に嵌め込まれている。
【００１７】
図５は下方に位置する内側操作部材用のロック手段３５の平面図である。しかして、３８は一辺３５ａの中央部から他辺３５ｂの中央部に向けて所要量形成された切欠部である。３９は切欠部３８を二分割する交差状の係合ピンである。なお、前記案内部３７，３７の一部（図３では右側端部）は、正面から見ると内外の駆動カムの係合切欠部２８と重なるように位置している。
【００１８】
４１，４２は内外のロック手段３５，３６のロック状態をそれぞれロック解除の状態に切換えることができるように中央軸４３を介して軸支された内外の係合アームである。ここでは符号４１を内側の係合アームとし、これと対称的に錠箱３に軸支されたそれを外側の係合アーム４２とする。
【００１９】
図６は内側の係合アーム４１、ロック手段３５等の正面からの説明図である。この図６を基準に説明すると、４５は中央軸４３に嵌着する軸受け部、４６は軸受け部から右下へと延設された第１係合腕、４７は軸受け部４６から左へと延設された第２係合腕である。
【００２０】
しかして、前記第１係合腕４６は、先端部に内側操作部材用ロック手段３５の係合ピン３９と係合する挟み状の係合指４６ａと、この係合指４６ａと軸受け部４６との間に連設する規制枠部４６ｂとから成り、前記規制枠部４６ｂ内には錠箱３に植設された回動規制ピン４８が入り込んでいる。一方、前記第２係合腕４７は鉤状の受け部４７ａと、この受け部４７ａに水平方向に連設する先端受部４７ｂとから成る。そして、前記中央軸４３にはバネ部材５０が巻装され、このバネ部材５０の下端部５０ａは規制枠部４６ｂに圧接し、一方、その他端部５０ｂは外側係合アーム４２の規制枠部４６ｂに圧接している。
【００２１】
したがって、内外の係合アーム４１，４２は、一つのバネ部材５０のバネ力により、対応する内外の板状ロック手段３５，３６が、それぞれ内外の駆動カム２０，２１の係合切欠２８と係合するように付勢されている。
【００２２】
５１，５２は内外係合アーム４１，４２の第２係合腕４７の先端受部４７ｂとそれぞれ係合するようにフロント板側に軸支された内外の操作部材態様用切換え手段である。ここでは符号５１を内側の切換え手段、符号５２を外側の切換え手段とする。内外の切換え手段５１，５２は、錠箱３の横設した一つ枢軸（同軸上）５３に対称的に軸支され、水平状の自由端部はフロント板側を指向している。
【００２３】
図７はレバー状の内側切換え手段５１の正面図である。この図７を基準にして内側の切換え手段５１を説明すると、５４は軸受け部、５５は自由端部、５６は指先状の駆動部である。駆動部５６は前述した内側係合アーム４１の先端受部４７ｂの外壁面と当接している。
【００２４】
６０は錠箱３内に移動可能に設けられた駆動源で、本実施例ではソレノイドが用いられている。ソレノイド６０は錠箱３の隅部に水平移動可能に配設され、作動杆の突出部６１には、中央部が錠箱３に軸支（軸６２）された棒状の駆動片６３が連結されている。駆動片６３の上端部６３ａは、内外係合アーム４１，４２の鉤状受部４７ａにそれぞれ係合している。またソレノイド６０は、その上壁に被係合部としての複数個の突起６４，６４を有している。
【００２５】
６５は枢軸５３の軸支されたレバー状の作動モード切換え手段である。この作動モード切換え手段６５は、図８で示すように、軸受け部６６と、この軸受け部６６からフロント側に指向して延びる自由端部６７と、この自由端部６７に対して所定角度を設定して軸受け部６６に突設され、かつソレノイド６０の複数個の突起６４，６４に選択的に係合する小係合突起６８とから成る。
しかして、作動モード切換え手段６５を操作すると、ソレノイド６０の配設位置が水平移動し、これにより電気錠の作動モードを非通電時施錠か、それとも通電時施錠かに切換えることができる。
【００２６】
上記構成に於いて、電気錠の作動モードの切換え（非通電時施錠型か、それとも通電時施錠型かに切換えること）と、電気錠の内外の操作部材態様（例えばレバーハンドルの回動操作を自由にするか、それとも固定的にロックすること）の切換えとを説明する。付言すると、「操作部材態様」とは、操作部材を回転可能状態又はロック状態にすることである。
まず図９は非通電時施錠型、かつ、内外操作部材ロック態様にした場合の電気錠１である。この電気錠１は、ソレノイド６０に電気が流れていない時（非通電状態の時）に作動杆６１が伸張し、一方、通電時に作動杆６１が収縮する。このタイプの電気錠１は一般にマンションの共用玄関やビルの通用口に用いられている。
【００２７】
図９を参照にして電気錠１の作動状態を簡単に説明する。まず非通電時に於いて、ソレノイド６０の作動杆６１は伸張している。この時駆動片６３は略垂直状態に起立し、その上端部６３ａは内外係合アーム４１，４２の鉤状受部４７ａにそれぞれ係合している。そして、内外係合アーム４１，４２の係合指４６ａは内外の駆動カム２０，２１に接近しているため、内外の操作部材用ロック手段３５，３６は、内外の駆動カム２０，２１の係合切欠部２８にそれぞれ入り込んでいる。また、内外の操作部材態様用切換え手段５１，５２の自由端部５５は枢軸５３を基準にして略水平状態である。この時内外の係合アーム４１，４２は、非通電時の時と全く変わらない。したがって、内外の操作部材用ロック手段３５，３６は、内外の駆動カム２０，２１の係合切欠部２８にそれぞれ入り込んでいる。
【００２８】
それ故に、電気錠１が非通電状態の時は、何らかのロック解消手段、例えばサムターン９、サムターンに連動する部材等を介して内側の操作部材用ロック手段３５のロックを解消させない限り、内側操作部材７を回すことができない。この点外側操作部材も同様であり、シリンダーを回さない限りロックされている。
【００２９】
なお、電気錠１の通電時は、上記とは逆であり、作動杆６１は収縮する。この時駆動片６３は軸６２を支点に時計方向へ回転して傾倒状態となる。その結果、上端部６３ａは内外係合アーム４１，４２の鉤状受部４７ａから離れ軸受け部４５に近づく。一方、内外係合アーム４１，４２の係合指４６ａは内外の駆動カム２０，２１から離れるため、内外の操作部材用ロック手段３５，３６は内外の駆動カム２０，２１の係合切欠部２８から離脱する。したがって、内外の操作部材７，６の阻止（ロック）の状態が同時に解消される。
【００３０】
図１０は、ソレノイドの位置を右側に多少移動させることにより、図９の「非通電時施錠型の電気錠１」を「通電時施錠型の電気錠１」へと作動モードを切換えた場合の説明図である。図１１は作動モードを切換えた場合の模式的説明図である。この場合内外の切換え手段５１，５２はそのままの状態なので、内外操作部材のロック態様は、図９と同様である。単に電気錠の作動モードを変えただけである。
【００３１】
しかして、作動モードを変える場合には、錠箱３のフロント板４を取り外し、かつ裏板１１の開口１１ａから図示しないドイラバーなどを利用して作動モード切換え手段６５の自由端部６７を下方へと切換える。そうすると、ソレノイド６０は作動モード切換え手段６５の小係合突起６８により押され、所定位置までスライドする。なお、作動態様は重複するので割愛する。
【００３２】
図１２及び図１３は、電気錠のモード態様が、「非通電時施錠型の電気錠１」又は「通電時施錠型の電気錠１」の場合に於いて、内側の切換え手段５１のみを切換えた時の説明である。非通電時施錠型であれ、又は通電時施錠型であれ、前述したように錠箱３のフロント板４を取り外し、かつ裏板１１の開口１１ａから図示しないドイラバーなどを利用して内側の切換え手段５１の自由端部５５を下方へと切換えると、切換え手段５１の駆動部５６により内側係合アーム４１の第２係合腕４７は上方向に持ち上げられる。
【００３３】
したがって、内側係合アーム４１は中央軸４３を支点に時計方向へと所定位置まで回転する。その結果、内側係合アーム４１の第１係合腕４６により内側の操作部材用ロック手段３５は内側の駆動カム２０の係合切欠部２８から離脱する。したがって、内側の操作部材７の阻止（ロック）の状態が解消される。この場合外側操作部材６は相変わらず外側の操作部材用ロック手段３６によりロックされている。
【００３４】
図１４及び図１５は、電気錠のモード態様が、「非通電時施錠型の電気錠１」又は「通電時施錠型の電気錠１」の場合に於いて、外側の切換え手段５２のみを切換えた時の説明である。前述したように、非通電時施錠型であれ、又は通電時施錠型であれ、錠箱３のフロント板４を取り外し、かつ裏板１１の開口１１ａから図示しないドイラバーなどを利用して外側の切換え手段５２の自由端部５５を上方へと切換えると、切換え手段５２の駆動部５６により外側係合アーム４２の第２係合腕４７は下方向に押し下げられる。
【００３５】
したがって、外側係合アーム４２は中央軸４３を支点に反時計方向へと所定位置まで回転する。その結果、外側係合アーム４２の第１係合腕４６により外側の操作部材用ロック手段３６は外側の駆動カム２１の係合切欠部２８から離脱する。
【００３６】
それ故に、外側の操作部材６の阻止（ロック）の状態が解消される。この場合内側操作部材７は相変わらず内外側の操作部材用ロック手段３５によりロックされているので、図１２及び図１３の場合と全く逆になる。このように内外の操作部材態様の切換え手段を下或いは上に切換えることにより、内外の操作部材６，７を直ちに回せるようになる。
【００３７】
【実施例】
図１６は、本発明の第２実施例である。なお、第２の実施例の説明にあたって、第１実施例と同一又は同様（機能が同一）の部分には、同一又は同様の符号を付し、重複する説明を省略する。
【００３８】
この第２実施例が第１実施例と異なる点は、作動モード切換え手段６５Ａである。すなわち、第１実施例の作動モード切換え手段６５は、内外の操作部材態様用の切換え手段を軸支する一つの軸５３に同軸上に枢支され、かつフロント板４を錠箱３から取り外して切換えることができるにようにレバー状に形成されている。これに対し、第２実施例の作動モード切換え手段６５Ａは、錠箱３Ａの裏板１１Ａに水平状態に設けられた回動螺杆であり、この回動螺杆６５Ａは、駆動源６０Ａを水平移動させることができるように該駆動源の側壁６０ａに螺合している。なお、回動螺杆６５Ａは、図示しないドライバーが係合する溝を頭部７０に有している。
【００３９】
このように構成しても、錠箱３Ａからフロント板４を取り外すだけで、電気錠で作動モード及び／又は内外の操作部材の態様を簡単に切換えることができるという本発明の第２の目的を達成することができる。
【００４０】
【発明の効果】
以上の説明から明らかなように、本発明にあっては、次に列挙するような効果がある。
（１）一つの電気錠で作動モードと内外の操作部材の態様を自由に切換えることが可能な電気錠の切換え装置を提供することができる。
（２）錠箱からフロント板を取り外すだけで、電気錠の作動モード及び／又は内外の操作部材の態様を簡単に切換えることができ
（３）各作動部材を合理的に組み合わせ、切換えを適格になすことができる。
【図面の簡単な説明】
図１乃至図１５は本発明の第１実施例を示す各説明図。図１６は本発明の第２実施例を示す説明図。
【図１】電気錠１の外観を示す斜視図。
【図２】フロント板の一部を切欠、かつフロント板側から見た概略説明図。
【図３】主要部の内部構造を示す説明図（これを便宜上、正面とする）。
【図４】要部（内側駆動カム）の正面図。
【図５】要部（内側ロック手段）の平面図。
【図６】要部（内側の係合アーム）の正面図。
【図７】要部（内側の切換え手段）の正面図。
【図８】要部（作動モード切換え手段）の正面図。
【図９】非通電時施錠型、かつ内外操作部材ロック態様にした場合の電気錠の作動態様を示す概略説明図。
【図１０】非通電時施錠型の電気錠を通電時施錠型の電気錠へと作動モードを切換えた場合の説明図。
【図１１】図９及び図１０に於いて、作動モードを切換えた場合の模式的説明図。
【図１２】電気錠のモード態様が、「非通電時施錠型の電気錠」又は「通電時施錠型の電気錠」の場合に於いて、内側の切換え手段のみを切換えた時の説明図。
【図１３】図１２に於いて、内側の切換え手段のみを切換えた時の模式的説明図。
【図１４】電気錠のモード態様が、「非通電時施錠型の電気錠」又は「通電時施錠型の電気錠」の場合に於いて、外側の切換え手段のみを切換えた時の説明図。
【図１５】図１４に於いて、外側の切換え手段のみを切換えた時の模式的説明図。
【図１６】本発明の第２実施例を示す説明図。
【符号の説明】
Ｘ…切換え装置、１…電気錠、２…扉、３，３Ａ…錠箱、３ａ…ケース、３ｂ…ケース蓋、４…フロント板、５…施錠片、６…外側の操作部材、７…内側の操作部材、８…シリンダー、９…サムターン、１０…ロック片、１１，１１Ａ…裏板、１２…戸枠、１３…ストライク、２０…内側駆動カム、２１…外側駆動カム、２３…操作軸、２４…軸孔、２５…連結筒、２６…第１カム部、２７…第２カム部、２８…係合切欠、２９…押圧部、３０…連動部材、３１…横軸、３５…内側操作部材用のロック手段、３６…外側操作部材用のロック手段、３７…案内部、３８…切欠部、４１…内側の係合アーム、４２…外側の係合アーム、４３…中央軸、４５…軸受け部、４６…第１係合腕、４７…第２係合腕、４８…回動規制ピン、５０…バネ部材、５１…内側の切換え手段、５２…外側の切換え手段、５３…枢軸、５４…、５５…自由端部、５６…駆動部、６０…駆動源、６０ａ…側壁、６１…突出部、６２…軸、６３…駆動片、６４…突起、６５，６５Ａ…作動モード切換え手段、６６…軸受け部、６７…自由端部、７０…頭部。
【図１】
0004126176.tif 000002
【図２】
0004126176.tif 000003
【図３】
0004126176.tif 000004
【図４】
0004126176.tif 000005
【図５】
0004126176.tif 000006
【図６】
0004126176.tif 000007
【図７】
0004126176.tif 000008
【図８】
0004126176.tif 000009
【図９】
0004126176.tif 000010
【図１０】
0004126176.tif 000011
【図１１】
0004126176.tif 000012
【図１２】
0004126176.tif 000013
【図１３】
0004126176.tif 000014
【図１４】
0004126176.tif 000015
【図１５】
0004126176.tif 000016
【図１６】
0004126176.tif 000017